(57)【要約】      （修正有）【課題】遠心回転体の皿部から飛散される液体の細粒子を効率的に超微粒子として噴出孔より噴出しうる液体の超微粒子噴霧装置を提供する。【解決手段】装置本体（１）は、本体ケース（２）の上部開口（２ａ）を閉塞し、噴出孔（３ｂ）が穿設される上ケース（３）と下部開口（２ｂ）を閉塞する下ケース（４）と、上ケース側に空気上昇室（７）を形成し、下ケース側に液体貯溜室（６）を形成する仕切壁体（５）とにより形成される。遠心回転体は、皿部（１０）と、吸い上げ孔（１０ｄ）を備える吸い上げノズル（１０ｃ）と、空気羽根部（１０ｂ）とを備える。遠心回転体は、液体貯溜室（６）に配置され、皿部の外周に、外周端（１０ａ）に対して環状間隙（Ｓ）をもって環状の金網（３０）が配置される。皿部より飛散する細粒子を直接的に金網に衝突させる。【選択図】図１
0003136927.tif 000002
【実用新案登録請求の範囲】
【請求項１】
装置本体は、筒状の本体ケース（２）の上部開口（２ａ）を閉塞し、噴出孔（３ｂ）が穿設される上ケース（３）と、
下部開口（２ｂ）を閉塞する下ケース（４）と、
本体ケース（２）の内方を横断し、上ケース（３）側に噴出孔（３ｂ）に連なる空気上昇室（７）を形成し、下ケース（４）側に液体貯溜室（６）を区分形成する仕切壁体（５）とにより形成され、
モータ（Ｍ）によって回転駆動される遠心回転体（Ｒ）は、有底状の円板型の皿部（１０）と、
上端（１０ｄ１）が皿部（１０）に開口し、下端（１０ｄ２）が下方に開口する吸い上げ孔（１０ｄ）を備える吸い上げノズル（１０ｃ）と、
皿部（１０）より下方に突出形成される複数の空気羽根部（１０ｂ）と、を備え、
前記遠心回転体を、液体貯溜室（６）内に臨んで配置するとともに遠心回転体（Ｒ）の皿部（１０）の外周に、皿部（１０）の外周端（１０ａ）を囲繞し、外周端（１０ａ）に対して環状間隙（Ｓ）をもって環状をなす金網（３０）を配置し、
遠心回転体（Ｒ）の皿部（１０）の回転により、皿部（１０）の外周端（１０ａ）から飛散する細粒子を、直接的に金網（３０）に衝突させ、一方、空気羽根部（１０ｂ）の回転により、本体ケース（２）に穿設せる空気取入れ口（２ｃ）から前記環状間隙を介して金網（３０）に向けて空気を供給するとともに該空気を、仕切壁体（５）に穿設せる通孔（５ａ）、本体ケース（２）の空気上昇室（７）、噴出孔（３ｂ）を介して外部に向けて噴出させ、前記金網に直接的に衝突され、超微粒化された液体の超微粒子を前記空気流れに乗じて噴出孔（３ｂ）より外部に噴出したことを特徴とする液体の超微粒子噴霧装置。
【請求項２】
前記環状をなす金網は、上側環状リング（２１）にその上端（２０ａ）が取着されるとともに下側環状リング（２２）にその下端（２０ｂ）が一体的に取着され、
一方、金網ケース（２５）は、環状をなす底部（２５ａ）と、
底部（２５ａ）の内方端（２５ａ１）から上方に向けて小さく突出して形成される内方環状壁部（２５ｂ）と、
底部（２５ａ）の外方端（２５ａ２）から上方に向けて大きく突出して形成される外方環状壁部（２５ｃ）と、によりドーナツ状に形成され、
前記金網の下端（２０ｂ）を、金網ケース（２５）の内方環状壁部（２５ｂ）に向けて配置したことを特徴とする請求項１記載の液体の超微粒子噴霧装置。
【考案の詳細な説明】
【技術分野】
【０００１】
本考案は、水、薬液、芳香液、等の液体を細かく微粒化し、この微粒化された粒子により、温室(ハウス)等の温湿調節、薬剤の噴霧、病院、レストラン、映画館、等の施設の消毒、滅菌、殺虫あるいは芳香液の噴霧、を行なう際に用いられる液体の超微粒子噴霧装置に関するものである。
【背景技術】
【０００２】
従来の超微粒子噴霧装置は特許文献1に開示される。
かかる特許文献1には、水槽と、水槽に先端誘流部がセットされる送風羽根を備えた遠心回転体と、遠心回転体の回転を司る駆動部と、駆動部を包囲する一方が閉塞する閉塞筒体と、閉塞筒体に適宜間隔をもって囲繞する前記水槽にセットされる上下開口部を有するケーシングと、ケーシングの上方開口部の下側に設けた開口を備えたネットと、上方開口部に嵌合される筒部と、閉塞筒体の外周面に設けた複数の羽根で構成した超微粒子拡散装置が開示される。
【特許文献１】特開２００５−１３１５４６号
【考案の開示】
【考案が解決しようとする課題】
【０００３】
かかる従来の超微粒子拡散装置によると、遠心回転体が回転することにより遠心回転体より飛散した液体の細粒子は、遠心回転体の周囲の間隔において、環状飛散室の環状壁面に衝突して微粒子に変換されるもので、この微粒子が閉塞筒体の外周に形成される間隔を上方向に向かって流れる空気流れに乗じて上方へ移動し、ネット、フィルターを介して上方開口部から超微粒子として噴出される。
ここで、環状拡散室の環状壁面に衝突して形成される液体の微粒子について着目すると、回転体の周囲より飛散される液体の細粒子はその遠心力によって環状拡散室の環状壁面に衝突し、この衝突力によって微細化されるものであるが、前述の如く細粒子がその遠心力によって環状壁面に衝突されることから回転体から飛散される細粒子を均一な微粒子として微細化しにくいもので、微粒子の粒径を均一に形成することが困難となる。以上によると、閉塞筒体の外周の間隔を、上方に向けて流れる空気流れによる微粒子の上方向への移動を効率的に行なうことが困難となる。すなわち、その粒径が不均一に形成される微粒子の内、比較的粒径の大なる微粒子の空気流れによる上方向への移動が抑止されることになるものでこれによると、回転体より飛散される細粒子を有効に上方のネットに向けて供給することが困難となり、上方開口部から噴出される超微粒子の量が、回転体より飛散される細粒子の量に比較して減少する傾向となる。
【０００４】
本考案になる液体の超微粒子噴霧装置は、前記不具合に鑑み成されたもので、遠心回転体の皿部から飛散される液体の細粒子を、効率的に超微粒子として上方の噴出孔から外部に向けて噴出することのできる超微粒子噴霧装置を提供することを主たる目的とする。
【課題を解決するための手段】
【０００５】
本考案になる液体の超微粒子噴霧装置は、前記目的達成の為に、装置本体は、筒状の本体ケースの上部開口を閉塞し、噴出孔が穿設される上ケースと、
下部開口を閉塞する下ケースと、
本体ケースの内方を横断し、上ケース側に噴出孔に連なる空気上昇室を形成し、下ケース側に液体貯溜室を区分形成する仕切壁体とにより形成され、
モータによって回転駆動される遠心回転体は、有底状の円板型の皿部と、
上端が皿部に開口し、下端が下方に開口する吸い上げ孔を備える吸い上げノズルと、
皿部より下方に突出形成される複数の空気羽根部と、を備え、
前記遠心回転体を、液体貯溜室内に臨んで配置するとともに遠心回転体の皿部の外周に、皿部の外周端を囲繞し、外周端に対して環状間隙をもって環状をなす金網を配置し、
遠心回転体の皿部の回転により、皿部の外周端から飛散する細粒子を、直接的に金網に衝突させ、一方、空気羽根部の回転により、本体ケースに穿設せる空気取入れ口から前記環状間隙を介して金網に向けて空気を供給するとともに該空気を、仕切壁体に穿設せる通孔、本体ケースの空気上昇室、噴出孔を介して外部に向けて噴出させ、前記金網に直接的に衝突され、超微粒化された液体の超微粒子を前記空気流れに乗じて噴出孔より外部に噴出したことを第１の特徴とする。
【０００６】
又、本考案の液体の超微粒子噴霧装置は、前記第1の特徴に加え、前記環状をなす金網は、上側環状リングにその上端が取着されるとともに下側環状リングにその下端が一体的に取着され、
一方、金網ケースは、環状をなす底部と、
底部の内方端から上方に向けて小さく突出して形成される内方環状壁部と、
底部の外方端から上方に向けて大きく突出して形成される外方環状壁部と、によりドーナツ状に形成され、
前記金網の下端を、金網ケースの内方環状壁部に向けて配置したことを第２特徴とする。
【考案の効果】
【０００７】
本考案になる液体の超微粒子噴霧装置の第１の特徴によると、遠心回転体の回転により空気羽根部が回転すると、本体ケースに穿設せる空気取入れ口、液体貯溜室の上部、環状間隙を介して金網に向けて空気流れが生じ、更にこの空気は空気上昇室内を上方向に移動して噴出孔より外部に向かって噴出される。
一方、遠心回転体の回転によると、液体貯溜室内に貯溜される液体は、皿部の外周から液体の細粒子となって外側方へ飛散するもので、この細粒子は金網に衝突し、金網を通過することにより超微粒化された超微粒子として形成され、この超微粒子が前記空気上昇室内を上方に向かって流れる空気流れに乗じ、空気と混合された超微粒子が噴出孔より外部に向けて噴出される。
かかる本考案の第１の特徴によれば、遠心回転体の皿部の外周より飛散される細粒子を、遠心回転体の外周に環状間隙をもって配置される環状の金網に向けて直接的に衝突させたので、細粒子を飛散直後において即座に且つ確実に均一な超微粒子として形成できる。
又、遠心回転体の空気羽根部の回転による空気流れを環状間隙を介して金網の全周に向けて直接的に供給したので金網への液体の付着が軽減され、金網による液体の超微粒化を一層効果的に行なうことができる。以上によると、金網の下流側には、均一に超微粒化された液体の超微粒子を供給できるので超微粒子の下方への落下を効果的に抑止することができ、皿部より飛散された細粒子を超微粒子として効率よく噴出孔より外部に向けて噴出できる。要するに、細粒子に対する超微粒子の噴出効率を向上できる。
【０００８】
又、本考案の第２の特徴によると、金網の上端が上側環状リングに取着され、下端が下側環状リングに取着されるので、環状をなす金網を強固に形成することができ、特に遠心回転体の皿部の外周よりいきおいよく液体の細粒子が飛散されて衝突した際にあっても金網の変形を有効に阻止でき、長期に渡って安定した超微粒化を達成できる。又、金網を、上方に向けて小さく突出形成される内方環状壁部に向けて配置したことによると、環状をなす金網の外側面に臨んで底部を備える外方環状壁部が配置されることになり、これによると、空気羽根部より環状間隙、金網を介して送り込まれる空気を、液体貯溜室の上部空間へ逃すことなく、外方環状壁部に沿って確実に上方の空気上昇室へ向けて流すことができるとともに金網によって超微粒化された超微粒子を、他に流出させることなく前記空気流れに乗じて確実に上方に向けて送出できる。
【考案を実施するための最良の形態】
【０００９】
以下、本考案になる液体の超微粒子噴霧装置の一実施例を図１により説明する。図１は超微粒子噴霧装置の要部縦断面図である。
装置本体（１）は以下によって形成される。
（２）は筒状をなす本体ケースでありその上部は上部開口（２ａ）をもって開口し、下方は下部開口（２ｂ）をもって開口する。
又、下部開口（２ｂ）の近傍の下端外周には、複数の空気取入れ口（２ｃ）が円周方向に均等に穿設される。
（３）は、本体ケース（２）の上部開口（２ａ）を閉塞するＵ底カップ状の上ケースであり、上ケース（３）の底部（３ａ）には複数の噴出孔（３ｂ）が穿設される。このときに、
噴出孔（３ｂ）への落下物を防止するような手段があってもよい。
（４）は本体ケース（２）の下部開口（２ｂ）を閉塞するＵ底カップ状の下ケースである。
尚、本体ケース（２）に対する上ケース（３）及び下ケース（４）の取着方法は、ボルト等によるネジ止めにて行なわれるが、その取着方法は限定されるものでない。
（５）は、本体ケース（２）の内方を横断して配置されるとともに本体ケース（２）の内壁に取着される仕切壁体であり、仕切壁体（５）の外周の近傍には複数の通孔（５ａ）が周方向に沿って穿設される。
又、仕切壁体（５）の上面（５ｂ）上には、筒体（５ｃ）が立設配置されるもので、筒体（５ｃ）の上端（５ｃ１）は上ケース（３）の底部（３ａ）に当接配置される。
以上によって装置本体（１）が形成されるもので、上記装置本体によれば、仕切壁体（５）の下面（５ｄ）と下ケース（４）とにより本体ケース（２）の下方に液体（Ｗ）が貯溜される液体貯溜室（６）が形成され、この液体貯溜室（６）内に本体ケース（２）の下方に穿設される空気取入れ口（２ｃ）と、仕切壁体（５）に穿設される通孔（５ａ）が開口して配置される。
又、仕切壁体（５）の上面（５ｂ）と、上ケース（３）の底部（３ａ）と、筒体（５ｃ）の外側面（５ｃ２）とにより仕切壁体（５）の上方にある本体ケース（２）内に空気上昇室（７）が形成され、仕切壁体（５）に穿設される通孔（５ａ）、上ケース（３）の底部（３ａ）に穿設される噴出孔（３ｂ）は、この空気上昇室（７）に臨んで開口する。尚、仕切壁体（５）の上面（５ｂ）と、筒体（５ｃ）の内側面（５ｃ３）と上ケース（３）の底部（３ａ）とにより空気上昇室（７）と区分されたモータ収納室（８）が形成される。
【００１０】
次に遠心回転体（Ｒ）について説明する。（１０）は、有底状の円板型をなす皿部であり、皿部（１０）の外周端（１０ａ）は、上方に向かう円錐状の傾斜面をなす。又皿部（１０）の下面には複数の空気羽根部（１０ｂ）が下方に向かって立設配置される。又（１０ｃ）は、皿部（１０）の中心から下方に向かって突出して形成される吸い上げノズルであり、吸い上げノズル（１０ｃ）内には吸い上げ孔（１０ｄ）が穿設されるもので、この吸い上げ孔（１０ｄ）の上端（１０ｄ１）は皿部（１０）に開口し、下端（１０ｄ２）は吸い上げノズル（１０ｃ）の下端に開口する。
一方、モータ収納室（８）内の仕切壁体（５）の上面（５ｂ）上にはモータ（Ｍ）が固定配置されるもので、モータ（Ｍ）の出力軸（Ｍａ）は、仕切壁体（５）を通過して液体貯溜室（６）内に突出配置され、前記遠心回転体はカップリング（１１）を介してモータ（Ｍ）の出力軸（Ｍａ）に取着される。上記によると、遠心回転体（Ｒ）の吸い上げ孔（１０ｄ）の下端（１０ｄ２）は、液体貯溜室（６）内の液体（Ｗ）内に没入配置される。
【００１１】
次に図２、図３、図４により本考案に用いられる金網（２０）について説明する。
図２は金網の上部平面図。図３は図２の側面図。図４は図２のＸ−Ｘ線における縦断面図。である。
金網（２０）は環状（より具体的には帯状の環状）をなし、その上端（２０ａ）には例えば鋼板によって形成された上側環状リング（２１）が例えばスポット溶接等に取着され、その下端（２０ｂ）には上記と同様の下側環状リング（２２）が取着される。
尚、金網（２０）は金属材料によって形成される網に限定されるものでなく、使用される液体等により例えば合成樹脂材料、布等適宜その材料が選択される。
【００１２】
次に金網（２０）が取着される金網ケース（２５）について図５、図６により説明する。
図５は金網ケース（２５）の上部平面図。図６は図５のＹ−Ｙ線における縦断面図。である。
（２５ａ）は環状をなす底部であり、底部（２５ａ）の内方端（２５ａ１）から上方に向けて小さく突出して内方環状壁部（２５ｂ）が折曲げ形成される。
又、底部（２５ａ）の外方端（２５ａ２）から上方に向けて、大きく突出して外方環状壁部（２５ｃ）が折曲げ形成される。尚溶接で形成してもよい。金網ケース（２５）は、底部（２５ａ）と内方環状壁部（２５ｂ）と外方環状突部（２５ｃ）よりなるドーナツ状をなすものである。
尚、（２５ｄ）は底部（２５ａ）に穿設される取付け孔である。この取付け孔（２５ｄ）の孔数は適宜選択される。
【００１３】
そして、前記金網の下端（２０ｂ）が、底部（２５ａ）に当接されるとともに金網ケース（２５）の内方環状筒部（２５ｂ）の外周に向けて挿入配置される。尚、かかる状態において、金網（２０）の上端（２０ａ）と金網ケース（２５）の外方環状壁部（２５ｃ）の上端（２５ｃ１）が同一高さとすることが好ましい。
【００１４】
そして前記金網ケースに取着された金網（２０）は以下によって装置本体（１）に配置される。
再び図１に戻って説明すると、金網ケース（２５）の上端（２５ｃ１）を仕切壁体（５）の下面（５ｄ）に当接配置し、かかる状態において金網ケース（２５）の取付け孔（２５ｄ）内にボルト（３１）が挿入され、このボルト（３１）により金網ケース（２５）が仕切壁体（５）の下面（５ｄ）に螺着配置されるもので、金網（３０）を含む金網ケース（２５）は、液体貯溜室（６）内に臨んで配置される。
そして、かかる金網ケース（２５）の仕切壁体（５）への取着状態において、遠心回転体（Ｒ）の皿部（１０）の外周端（１０ａ）と金網（３０）との間には環状間隙（Ｓ）が形成される。
より具体的には、皿部（１０）の外周端（１０ａ）は、環状間隙（Ｓ）を介して金網ケース（２５）の内方環状壁部（２５ｂ）及び金網（３０）に臨んで対向配置され、更に空気羽根部（１０ｂ）もまた環状間隙（Ｓ）を介して内方環状壁部（２５ｂ）、金網（３０）に臨んで対向配置されることになる。
尚、上記状態において、金網ケース（２５）の外方環状壁部（２５ｃ）が本体ケース（２）に穿設した空気取入れ口（２ｃ）を閉塞することはない。
又、（４０）は、モータ収納室（８）の上部に配置したタイマであり、その他の構成もこの空気上昇室（７）と区分されるモータ収納室（８）内に配置することができる。
【００１５】
次に本考案の超微粒子噴霧装置の作用について図１により説明する。
超微粒子の噴霧に先立ち、モータ（Ｍ）が回転されるもので、このモータ（Ｍ）の回転は出力軸（Ｍａ）、カップリング（１１）を介して遠心回転体（Ｒ）に伝達され、空気羽根部（１０ｂ）を含む皿部（１０）はモータ（Ｍ）と同期して回転する。
そして、遠心回転体（Ｒ）の空気羽根部（１０ｂ）の回転によると、本体ケース（２）の外方にある空気は、本体ケース（２）の空気取入れ口（２ｃ）−液体貯溜室（６）の液体（Ｗ）より上方の上部空間（６ａ）−環状間隙（Ｓ）に向かう空気流れ、を生じ環状間隙（Ｓ）を介して金網（３０）に向けて空気が供給され、更に金網（３０）を通過した空気は、空気上昇室（７）内を上方向に移動し、上ケース（３）の噴出孔（３ｂ）より外方に向けて噴出される。
一方、遠心回転体（Ｒ）の皿部（１０）の回転によると、液体貯溜室（６）内に貯溜される液体（Ｗ）は、吸い上げ孔（１０ｄ）を介して皿部（１０）に吸出され、この皿部（１０）上の液体（Ｗ）は、その遠心力により、皿部（１０）の外周端（１０ａ）からいきおいよく円周方向に細粒子として飛散される。
そして、かかる皿部（１０）の外周端（１０ａ）から飛散される細粒子は、皿部（１０）の外周端（１０ａ）を囲繞する金網（３０）に直接的に衝突するもので、この衝突により細粒子は金網（３０）を通過した後に超微粒子として分散形成される。
そして、かかる金網（３０）の空気流れ方向における下流側において分散形成される超微粒子は、金網（３０）−空気上昇室（７）−噴出孔（３ｂ）に向かう空気流れに乗じ、超微粒化された超微粒子として噴出孔（３ｂ）より噴出される。図１において皿部（１０）より飛散される細粒子は実線の（Ａ）で示され、空気流れは点線の（Ｂ）で示され、金網（３０）を通過した超微粒子は一点鎖線の（Ｃ）で示される。
【００１６】
上記作用をなす本考案の超微粒子噴霧装置によると、皿部（１０）の外周端（１０ａ）より飛散される細粒子を、環状間隙（Ｓ）をもって近接配置される環状の金網（３０）に直接的に速い飛散速度をもって衝突させたことにより、確実に均一な超微粒子を形成できる。又、空気羽根部（１０ｂ）によって昇圧された空気を直接的に金網（３０）に吹き付けたことにより金網（３０）への液体（Ｗ）の付着滞留が抑止され、金網（３０）による超微粒子の形成をより効果的に助成することができる。
上記によれば、金網（３０）の下流側には極めて均一なる超微粒子を供給することができるもので、この超微粒子を確実に空気上昇室（７）を上昇する空気流れに乗じることができる。従って噴出孔（３ｂ）より良好に超微粒化された超微粒子を噴出することができるとともに皿部（１０）より飛散される細粒子を確実に超微粒子へと変換する変換効率を大きく向上できる。
【００１７】
又、金網（３０）は、その上端（２０ａ）に上側環状リング（２１）が取着され、下端（２０ｂ）に下側環状リング（２２）が取着され、一方金網（３０）を支持する金網ケース（２５）を底部（２５ａ）と内方環状壁部（２５ｂ）と外方環状壁部（２５ｃ）とによりドーナツ状に形成し、金網（３０）の下端（２０ｂ）を金網ケース（２５）の内方環状壁部（２５ｂ）に向けて配置したので、皿部（１０）より飛散される細粒子が金網（３０）にいきおいよく衝突しても金網（３０）が変形することなく、長期に渡って良好な超微粒子を形成できる。又、金網ケース（２５）の外方環状壁部（２５ｃ）は、通孔（５ａ）に向かう流体流れのみへと変換させることができるものである。
又、皿部（１０）の外周端（１０ａ）と金網（３０）との間に形成される環状間隙（Ｓ）は、金網ケース（２５）の内方環状壁部（２５ｂ）の直径を選択することにより極めて容易に環状間隙を選択決定できる。
【図面の簡単な説明】
【００１８】
【図１】本考案になる液体の超微粒子噴霧装置の一実施例を示す要部縦断面図。
【図２】本考案に用いられる金網の一実施例を示す上部平面図。
【図３】図２の側面図。
【図４】図２のＸ−Ｘ線における縦断面図。
【図５】本考案に用いられる金網ケースの上部平面図。
【図６】図５のＹ−Ｙ線における縦断面図。
【符号の説明】
【００１９】
２      本体ケース
２ａ    上部開口
２ｃ    空気取り入れ口
３      上ケース
３ｂ    噴出孔
４      下ケース
５      仕切壁体
５ａ    通孔
６      液体貯溜室
７      空気上昇室
１０    皿部
１０ａ  外周端
１０ｂ  空気羽根部
１０ｃ  吸い上げノズル
１０ｄ  吸い上げ孔
３０    金網
Ｒ      遠心回転体
Ｓ      環状間隙
【図１】
0003136927.tif 000003
【図２】
0003136927.tif 000004
【図３】
0003136927.tif 000005
【図４】
0003136927.tif 000006
【図５】
0003136927.tif 000007
【図６】
0003136927.tif 000008